(57)【要約】【課題】光ファイバの接続部分を収納して保持させながら、余長の収納作業が容易にできる小型且つ構造が簡易な光ファイバの接続余長収納具及び収納方法を提供する。【解決手段】第１巻き取り部１４に余長部分１３ａ、１３ｂをまとめて巻きつけ、長さが異なる部分については第２巻き取り部１５に巻きつけるので、余長部分１３ａ、１３ｂの長さが異なる場合でも光ファイバ１１を収納することができる。また、第３位置規制手段２２が２本の第２巻き取り軸２１ａ、２１ｂの間で分割されているので、余長部分１３を第２巻き取り軸２１ａ、２１ｂに８の字状に巻き付けることができ、余長部分１３をよじれないように収納することができる。【選択図】　　　　図１
2004126471.tif 000002
【特許請求の範囲】
【請求項１】
光ファイバ同士が接続された接続部分を含む光ファイバの余長部分を収納するための光ファイバの接続余長収納具であって、
第１巻き取り部と、この第１巻き取り部の両端側に設け当該第１巻き取り部よりも大径な第１及び第２位置規制手段とにより第１収納空間を画成し、
前記第１位置規制手段に、前記第１収納空間に連通すると共に前記光ファイバの接続部分を受容するスリット部を設け、
前記第２位置規制手段に、前記光ファイバを８の字状に巻き付ける第２巻き取り部を設けると共に、前記第１巻き取り部から前記第２巻き取り部に連通する溝を備えたことを特徴とする光ファイバの接続余長収納具。
【請求項２】
前記第２巻き取り部が、２本の巻き取り軸と、前記第２位置規制手段との間に第２収納空間を画成する第３位置規制手段と、を備え、
前記第３位置規制手段は、少なくとも前記２本の巻き取り軸間において分割されていること、を特徴とする請求項１に記載した光ファイバの接続余長収納具。
【請求項３】
前記第１巻き取り部が前記スリット部により２つの第１巻き取り部に分割されており、前記２つの第１巻き取り部の内接線に沿った方向で前記接続部分を受容すると共に、前記２つの第１巻き取り部に対して、前記余長部分が長円形状を形成するように巻きつけることを特徴とする請求項１に記載した光ファイバの接続余長収納具。
【請求項４】
前記第１位置規制手段は、略長方形と略半円とを組み合わせた形状を有し、前記スリット部は、前記略長方形の略対角線方向に形成されていることを特徴とする請求項１または３に記載した光ファイバの接続余長収納具。
【請求項５】
前記第１収納空間及び第２収納空間に収納された前記余長部分の飛び出しを規制する規制部を備えたことを特徴とする請求項１から４のいずれか１項に記載した光ファイバの接続余長収納具。
【請求項６】
前記規制部が、弾性変形可能に形成されていることを特徴とする請求項５に記載した光ファイバの接続余長収納具。
【請求項７】
前記規制部が、着脱自在であることを特徴とする請求項５又は６に記載した光ファイバの接続余長収納具。
【請求項８】
請求項１〜７に記載した光ファイバの接続余長収納具を用いて、接続部分を含む光ファイバの余長部分を収納した接続余長収納箱。
【請求項９】
光ファイバ同士が接続された接続部分を含む光ファイバの余長部分を収納するための光ファイバの接続余長収納方法であって、
第１巻き取り部の第１位置規制手段に設けられているスリット部に前記光ファイバの接続部分を収納し、前記接続部分から伸びる前記光ファイバの両余長部分を第１位置規制手段と第２位置規制手段との間に形成される第１収納空間に巻き取った後、
少なくとも前記２本の余長部分のうち長い方の余長部分を、前記第２位置規制手段に設けられている溝を通って第２位置規制手段と第３位置規制手段との間に形成される第２収納空間に８の字状に巻き取ることを特徴とする光ファイバの接続余長収納方法。
【発明の詳細な説明】
【０００１】
【発明の属する技術分野】
この発明は、光ファイバ同士を接続して使用するに際し、その接続部分を含む光ファイバの余長部分を巻きとって収容するための光ファイバの接続余長収納具及び収納方法に関するものである。
【０００２】
【従来の技術】
光ファイバ同士を、例えば、融着して接続させ、この接続部分を含む光ファイバを一本或いは複数本用いて、光部品間或いは光通信機器間を接続する場合に、光ファイバの長さに余裕を持たせて接続することがある。例えば、光ファイバ同士を融着して接続する場合、光ファイバの外表面の樹脂被覆を除去した後、加熱手段を用いて、ガラス部分を融着する。その後、融着したガラス部分を樹脂で覆わせて、ガラス部分を保護している。
【０００３】
この場合において、２つの光部品（光通信機器）の接続に必要な長さ以外の光ファイバ（光ファイバの余長部分とも言う）は、その状態で放置しておくと、接続部分で、他の部品に引っ掛かったり、光ファイバ同士が絡み合ってしまうことがある。そこで、接続部分を含む光ファイバの余長部分をうまくまとめておくことが必要となる。
【０００４】
特許文献１には、紐類の巻き込み器の技術が開示されている。この公報には、図１３、図１４に示すように、第１制限板１００と第２制限板１０１とから構成され、第１制限板１００には、回転用突起１０２、連結部１０３、巻軸片１０４、結合軸片１０５、爪１０６を有している。第２制限板１０１には、円形突起部１０７、環状枠体１０８、吊り下げ片１０９、誘導面１１０、１１１が備えられている。紐等は、挿入溝１１３に挿入されて、第１制限板１００を矢印１１２方向に回転させることにより、第１制限板１００と第２制限板１０１とにより形成された空間に巻き取られて収容される構成となっている。
【０００５】
【特許文献１】
日本特許登録２８２１０２９号公報（第４頁、第１図、第２図）
【０００６】
【発明が解決しようとする課題】
近年の光ファイバにおいては、光ファイバの特性が飛躍的に向上しており、例えば、スクリーニング歪み（εＰ）と疲労係数（ｎ）の関係が１．２５×（６．３×１０８）１／ｎ≦εＰ≦４．０を満足する特性を有する光ファイバを光部品間に接続して使用することがある。また、例えば、曲げ直径１０ｍｍでの波長１．５５μｍにおける曲げ損失が１．０ｄＢ／ターン以下の特性を有する光ファイバを使用することもある。これらの特性を有する光ファイバを使用して、その余長部分を巻取って収納する場合には、光ファイバ巻径が直径１５ｍｍ程度のかなり小さな光ファイバ収納具を用いて収納しても、光ファイバの特性は殆ど劣化することがない。
【０００７】
上述した公報に開示された紐類の巻きこみ器は、相対回転させた構造となっており、例えば、光ファイバ巻径を直径１５ｍｍ程度に小型化させて、光ファイバの余長部分を巻き込むには、構造が複雑であり、製造に際し困難が伴う。
また、光ファイバ収納部とは別に収納場所を設ける必要があり、収納作業及び収納スペースの効率化の妨げになっている。
【０００８】
本発明は、前述した問題点に鑑みてなされたものであり、その目的は、光ファイバの接続部分を収納して保持させながら、余長の収納作業が容易にできる小型且つ構造が簡易な光ファイバの接続余長収納具及び収納方法を提供することにある。
【０００９】
【課題を解決するための手段】
前述した目的を達成するために、本発明にかかる光ファイバの接続余長収納具は、請求項１に記載したように、光ファイバ同士が接続された接続部分を含む光ファイバの余長部分を収納するための光ファイバの接続余長収納具であって、第１巻き取り部と、この第１巻き取り部の両端側に設け当該第１巻き取り部よりも大径な第１及び第２位置規制手段とにより第１収納空間を画成し、前記第１位置規制手段に、前記第１収納空間に連通すると共に前記光ファイバの接続部分を受容するスリット部を設け、前記第２位置規制手段に、前記光ファイバを８の字状に巻き付ける第２巻き取り部を設けると共に、前記第１巻き取り部から前記第２巻き取り部に連通する溝を備えたことを特徴としている。
【００１０】
このように構成された光ファイバの接続余長収納具においては、光ファイバの接続部分を収納して余長部分を第１巻き取り部に収納すると共に、接続部分からの余長の長さが異なる場合には、長い方の余長部分を第２巻き取り部に収納する。このとき、第２巻き取り部においては、余長部分を８の字状に巻き取るので、よじれずに収納できる。これにより、光ファイバの余長部分をコンパクトに収納すると共に、余長部分を引き出す場合には容易に引き出すことができる。
【００１１】
また、本発明にかかる光ファイバの接続余長収納具は、請求項２に記載したように、請求項１に記載した光ファイバの接続余長収納具において、前記第２巻き取り部が、２本の巻き取り軸と、前記第２位置規制手段との間に第２収納空間を画成する第３位置規制手段と、を備え、前記第３位置規制手段は、少なくとも前記２本の巻き取り軸間において分割されていること、を特徴としている。
【００１２】
また、本発明にかかる光ファイバの接続余長収納具は、請求項３に記載したように、請求項１に記載した光ファイバの接続余長収納具において、前記第１巻き取り部が前記スリット部により２つの第１巻き取り部に分割されており、前記２つの第１巻き取り部の内接線に沿った方向で前記接続部分を受容すると共に、前記２つの第１巻き取り部に対して、前記余長部分が長円形状を形成するように巻きつけることを特徴としている。
【００１３】
また、本発明にかかる光ファイバの接続余長収納具は、請求項４に記載したように、請求項１または３に記載した光ファイバの接続余長収納具において、前記第１位置規制手段は、略長方形と略半円とを組み合わせた形状を有し、前記スリット部は、前記略長方形の略対角線方向に形成されていることを特徴としている。
【００１４】
また、本発明にかかる光ファイバの接続余長収納具は、請求項５に記載したように、請求項１から４のいずれか１項に記載した光ファイバの接続余長収納具において、前記第１収納空間及び第２収納空間に収納された前記余長部分の飛び出しを規制する規制部を備えたことを特徴としている。
【００１５】
このような構成にすることで、光ファイバ収納具から、巻き取った余長部分の巻き外れや、飛び出しを、防止することができる。
【００１６】
また、本発明にかかる光ファイバの接続余長収納具は、請求項６に記載したように、請求項５に記載した光ファイバの接続余長収納具において、前記規制部が、弾性変形可能に形成されていることを特徴としている。
【００１７】
また、本発明にかかる光ファイバの接続余長収納具は、請求項７に記載したように、請求項５又は６に記載した光ファイバの接続余長収納具において、前記規制部が、着脱自在であることを特徴としている。
【００１８】
また、本発明にかかる光ファイバの接続余長収納箱は、請求項８に記載したように、請求項１〜７に記載した光ファイバの接続余長収納具を用いて、接続部分を含む光ファイバの余長部分を収納したことを特徴としている。
【００１９】
また、本発明にかかる光ファイバの接続余長収納方法は、請求項９に記載したように、光ファイバ同士が接続された接続部分を含む光ファイバの余長部分を収納するための光ファイバの接続余長収納方法であって、第１巻き取り部の第１位置規制手段に設けられているスリット部に前記光ファイバの接続部分を収納し、前記接続部分から伸びる前記光ファイバの両余長部分を第１位置規制手段と第２位置規制手段との間に形成される第１収納空間に巻き取った後、少なくとも前記２本の余長部分のうち長い方の余長部分を、前記第２位置規制手段に設けられている溝を通って第２位置規制手段と第３位置規制手段との間に形成される第２収納空間に８の字状に巻き取ることを特徴としている。
【００２０】
このように構成された光ファイバの接続余長収納方法においては、光ファイバの接続部分を収納して余長部分を第１巻き取り部に収納すると共に、接続部分からの余長の長さが異なる場合には、長い方向余長を第２巻き取り部に収納する。このとき、第２巻き取り部においては、余長部分を８の字状に巻き取るので、よじれずに収納できる。
【００２１】
【発明の実施の形態】
以下、本発明に係る光ファイバの接続余長収納具及び収納方法の実施の形態を図面に基づいて詳細に説明する。
【００２２】
図１は、本発明に係る光ファイバの接続余長収納具を上方から見た斜視図、図２は本発明に係る光ファイバの接続余長収納具の下面を上方に向けた斜視図、図３（ａ）は光ファイバの接続余長収納具を上方から見た平面図、図３（ｂ）は正面図、図３（ｃ）は下方から見た底面図、図４は収納される光ファイバの斜視図である。尚、図１、図２においては、本発明に係る光ファイバの接続余長収納具を容易に理解できるように、接続部分を含む光ファイバの余長部分の収納形態も併せて描いている。
【００２３】
図４に示すように、光ファイバの接続余長収納具１０に収納される光ファイバ１１は、光ファイバ同士が接続された接続部分１２と、この接続部分１２から両側に延びる余長部分１３ａ、１３ｂを有している。
図１〜図３に示すように、光ファイバの接続余長収納具１０は、前述した光ファイバ１１を収納するためのものであり、図１中上側（図２中下側）に第１巻き取り部１４を有し、図１中下側（図２中上側）に第２巻き取り部１５を有している。
【００２４】
第１巻き取り部１４は、中央に第１巻き取り軸１６を有しており、この第１巻き取り軸１６は長方形部分と半円形部分とから全体長円形状断面となっている。また、第１巻き取り軸１６の一端側（図１において上側）には第１巻き取り軸１６よりも大径な第１位置規制手段１７が取り付けられると共に、他端側（図１において下側）には第１巻き取り軸１６よりも大径な第２位置規制手段１８が取り付けられている。従って、第１位置規制手段１７と第２位置規制手段１８との間に、余長部分１３ａ、１３ｂを収納する第１収納空間１９が形成されることになる。
【００２５】
第１位置規制手段１７は、全体として略長方形と略半円とを組み合わせた長円形状をしており、長方形部分の略対角線方向にスリット部２０が形成されている。このスリット部２０は、第１巻き取り軸１６の長方形部分の対角線方向に形成されており、第１収納空間１９に連通している。スリット部２０の中央部分には、光ファイバ１１の接続部分１２を収納するために接続部分に対応した大きさのスリット部２０ａが形成されている。また、スリット部２０と第１巻き取り軸１６の円形部分との境界部分は、光ファイバ１１を曲げても損失が増加しない径の曲線に形成してある。
【００２６】
第１巻き取り軸１６は、第１位置規制手段１７と略相似形で且つ小さな長円形状をしており、第１位置規制手段１７に設けられているスリット部２０、２０ａと同じ位置にスリット部２０、２０ａが設けられている。従って、第１巻き取り軸１６は、スリット部２０、２０ａによって第１巻き取り軸１６ａ、１６ｂに二分割されている。
これにより、光ファイバ１１の接続部分１２を、第１位置規制手段１７のスリット部２０、２０ａから第１巻き取り軸１６の第１収納空間１９に挿入することができ、余長部分１３ａ、１３ｂを第１巻き取り軸１６に対して長円形状に巻き付けることができる。
【００２７】
第２位置規制手段１８の下方（図１及び図３（ｂ）において下方）には、第２巻き取り部１５が設けられている。第２巻き取り部１５には２本の第２巻き取り軸２１ａ、２１ｂの一端面が取り付けられており、第２巻き取り軸２１ａ、２１ｂの他端面には第３位置規制手段２２が取り付けられている。従って、第２位置規制手段１８と第３位置規制手段２２との間に第２収納空間２３が設けられることになる。
【００２８】
第２位置規制手段１８の左右両端縁の中央部分には、第１収納空間１９と第２収納空間２３を連通させる溝２４、２４が設けられており、余長部分１３ｂを急激に曲げることなく第１収納空間１９から第２収納空間２３へ引き込むことができるようになっている。
一方、第３位置規制手段２２は、２本の第２巻き取り軸２１ａ、２１ｂの間において２つに分割されており、２本の第２巻き取り軸２１ａ、２１ｂの外側の略半分を覆っている。従って、２本の第２巻き取り軸２１ａ、２１ｂの間は、第３位置規制手段２２が無くあいているので、余長部分１３ｂを２本の第２巻き取り軸２１ａ、２１ｂの間に８の字状に巻き取ることができるようになっている。
【００２９】
次に、図５（ａ）〜（ｅ）を参照して、前述した光ファイバの接続余長収納具１０に光ファイバ１１の接続部分１２及び余長部分１３ａ、１３ｂを収納する方法について説明する。
まず、光ファイバ１１の接続部分１２及び余長部分１３ａ、１３ｂを第１巻き取り部１４の第１収納空間１９に収納する。すなわち、図５（ａ）に示すように、接続部分１２を第１位置規制手段１７の中央の大きなスリット部２０ａに挿入し、余長部分１３ａ、１３ｂをスリット部２０から第１収納空間１９に入れる。
次いで、図５（ｂ）に示すように、一方の余長部分１３ａ（１３ｂ）を第１巻き取り軸１６に巻き付けながら、他方の余長部分１３ｂ（１３ａ）の方へ回す。そして、図５（ｃ）に示すように、２本の余長部分１３ａ、１３ｂをまとめて第１巻き取り軸１６に巻きつけて、第１収納空間１９に余長部分１３ａ、１３ｂを収納する。
【００３０】
２本の余長部分１３ａ、１３ｂに長さの差がある場合には、図５（ｃ）で示したように余長部分１３ａ、１３ｂを一緒に第１巻き取り軸１６に巻きつけると、図５（ｄ）に示すように、長い方の余長部分１３ｂが収納されずに残るので、第２位置規制手段１８の溝２４から、余長部分１３ｂを第２収納空間２３へ引き出す。
そして、図５（ｅ）に示すように、長い方の余長部分１３ｂを２本の第２巻き取り軸２１ａ、２１ｂに８の字状に巻き付ける。
【００３１】
以上、前述した光ファイバの接続余長収納具及び収納方法によれば、第１巻き取り部１４に余長部分１３ａ、１３ｂをまとめて巻きつけ、長さが異なる部分については第２巻き取り部１５に巻きつけるので、余長部分１３ａ、１３ｂの長さが異なる場合でも容易に光ファイバ１１を収納することができる。
また、第３位置規制手段２２が２本の第２巻き取り軸２１ａ、２１ｂの間で分割されてあいているので、余長部分１３を第２巻き取り軸２１ａ、２１ｂに容易に８の字状に巻き付けることができ、余長部分１３をよじれないように収納することができる。
【００３２】
次に、図６には、第１収納空間１９又は第２収納空間２３に収納された余長部分１３ａ、１３ｂの飛び出しを規制する規制部材２６が示されている。この規制部材２６は、第１位置規制手段１７、第２位置規制手段１８、第３位置規制手段２２の外形と同様の形状をした板状のベース２７と、このベース２７の外周端部に立設されている複数個（ここでは例えば４個）の規制部２８から構成される。
【００３３】
このような規制部材２６は、余長部分１３ａ、１３ｂが巻き付けられた後に、光ファイバの接続余長収納具１０に取り付けることにより、巻き付けられている余長部分１３ａ、１３ｂが飛び出すのを防止することができる。なお、このように、余長部分１３ａ、１３ｂを巻きつけた後に使用する場合には、規制部２８の高さは、第１位置規制手段１７から第３位置規制手段２２までを覆う高さとするのがよい。従って、規制部材２６は、図７に示すように、第３位置規制手段２２の下側から上向きに取り付けることもできるし、あるいは第１位置規制手段１７の上側から下向きに装着することもできる。
【００３４】
また、光ファイバの接続余長収納具に規制部材を取り付けた状態で、余長部分を接続余長収納具に収納する方法も採用できる。図８に示す規制部材２６Ａは、第１収納空間１９と第２収納空間２３に収納された余長部分１３ａ、１３ｂの飛び出しを規制するものであり、ベース２７Ａの外周に立設した複数個（ここでは、例えば２個）の規制部２８Ａが設けられており、これらの規制部２８Ａは内側に弾性変形可能な材料からなっている。更に、規制部材２６Ａには、係合片２７Ｂが設けられており、この係合片２７Ｂとベース２７Ａとを、第１位置規制手段１７や第３位置規制手段２２の縁部に挟むように嵌め込んでいくことで、規制部材２６Ａを第１位置規制手段１７や第３位置規制手段２２に固定することができる。
【００３５】
この規制部材２６Ａを４個用いて、光ファイバの接続余長収納具１０に装着した状態を図９に示してある。この規制部材２６Ａは、扇形状に形成されており、これは規制部材２６Ａを第１位置規制手段１７に嵌めた状態で、接続部分１２がスリット部２０、２０ａに挿入可能となっている。余長部分１３ａ、１３ｂの巻き取り方法は、最初に、図８に示す規制部材２６Ａを、第１位置規制手段１７に２個を、第３位置規制手段２２に２個を矢印Ｄに示す方向より嵌め込む。接続部分１２を中央スリット部２０ａに挿入後、余長部分１３ａ、１３ｂは、図５に示す方法で収納していく。この収納工程において、余長部分１３ｂ（１３ａ）が規制部２８Ａにきた時には、図１０に示すように、余長部分１３ｂ（１３ａ）でもって、規制部２８を第２収納空間２３（第１収納空間１９）側に弾性変形させ、余長部分１３ｂ（１３ａ）が規制部２８Ａを乗り越えて第２収納空間２３（第１収納空間１９）に収納されていく。したがって、余長部分１３ａ、１３ｂは、第１、２収納空間１９、２３から飛び出すのを防止しながら収納していくことができる。ここで、規制部２８Ａ）の高さは、第３規制手段２２（第１規制手段１７）から第２規制手段１８までの高さと同等かこれより低く設定してある。
尚、図８に示す着脱自在な規制部材２６Ａは、扇形状にして説明してあるが、規制部材２６Ａは、扇形状には限定されない。
【００３６】
また、別の実施形態として、図１１に示すように、収納した余長部分の飛び出しを防止する規制部を位置規制手段に固定させてもよい。図１１（ａ）は、第１位置規制手段１７に複数個（この場合は６個）の規制部２８Ｃが固定されている。規制部２８Ｂは弾性変形可能であり、図１０に示すようにして、余長部分１３ａを収納していく。図１１（ｂ）は、第３位置規制手段２２、２２に複数個（この場合は４個）の規制部２８Ｃが固定されており、図１０に示す方法にて余長部分１３ｂを収納していく。
これらの規制部２８Ｂ、２８Ｃが固定された第１位置規制手段１７や第３位置規制手段２２は、第２位置規制手段１８に固定されていてもよく、あるいは、着脱自在であってもよい。
【００３７】
以上、前述した光ファイバの接続余長収納具及び収納方法によれば、規制部２８、２８Ａ、２８Ｂ、２８Ｃを光ファイバの接続余長収納具１０に装着することにより、巻き取る余長部分１３ａ、１３ｂが第１収納空間１９又は第２収納空間２３から飛び出すのを防止することができる。特に、巻き取り時に規制部２８Ａ、２８Ｂ、２８Ｃを装着しておくと、巻き取り作業時に余長部分１３ａ、１３ｂが各収納空間１９、２３から飛び出すのを防止しながら巻き取り作業を行うことができるので、確実に余長部分１３ａ、１３ｂを巻き取ることができる。
【００３８】
図１２には、上述した光ファイバの接続余長収納具１０を用いて接続部分１２を含む光ファイバ１１の余長部分１３ａ、１３ｂを収納する接続余長収納箱３０の一例が示されている。
この接続余長収納箱３０には、外部から多心の光ファイバケーブル３１が導入されてくる。多心の光ファイバケーブル３１は、接続余長収納箱３０内で、それぞれ例えば融着手段を用いて接続され、複数本の単心の光ファイバケーブル３２に分岐されて出て行く。この多心の光ファイバケーブル３１から単心の光ファイバケーブル３２に分岐する際の、接続部分１２を含む余長部分１３ａ、１３ｂは、それぞれ前述した一組の光ファイバの接続余長収納具１０と余長収納具３３により収納され、接続余長収納箱３０の保持規制部材３４により保持されている。
【００３９】
このような接続余長収納箱３０を用いると、光通信機器等の工事作業において、光ファイバ１１の余長部分１３ａ、１３ｂを取り出す際に、整然として間違えることなく作業を行うことができる。
【００４０】
なお、本発明の光ファイバの接続余長収納具及び収納方法は、前述した実施形態に限定されるものでなく、適宜な変形、改良等が可能である。
【００４１】
【発明の効果】
以上、説明したように、本発明にかかる光ファイバの接続余長収納具及び収納方法によれば、光ファイバの接続部分を収納して余長部分を第１巻き取り部に収納すると共に、接続部分からの余長の長さが異なる場合には、長い方の余長を第２巻き取り部に収納するので、余長部分の長さの差がある場合でも整然と収納することができる。このとき、第２巻き取り部においては、余長部分を８の字状に巻き取るのでよじれずに収納でき、長い方の余長部分を引き出して、容易に配線することができる。
【図面の簡単な説明】
【図１】本発明に係る光ファイバの接続余長収納具の実施形態を示す斜視図である。
【図２】本発明に係る光ファイバの接続余長収納具の下面を上方に向けた斜視図である。
【図３】（ａ）は光ファイバの接続余長収納具を上方から見た平面図、（ｂ）は正面図、（ｃ）は下方から見た底面図である。
【図４】図４は収納される光ファイバの斜視図である。
【図５】（ａ）〜（ｅ）は、本発明にかかる光ファイバの接続余長収納方法の各段階を示す平面図又は底面図である。
【図６】規制部を示す全体斜視図である。
【図７】規制部を光ファイバの接続余長収納具に装着した状態を示す斜視図である。
【図８】着脱自在な規制部材の斜視図である。
【図９】図８に示す規制部材を接続余長収納具に装着した状態を示す斜視図である。
【図１０】余長部分が規制部を乗り越える状態を説明している部分斜視図である。
【図１１】（ａ）は第１位置規制手段に規制部を設けた斜視図であり、（ｂ）は第３位置規制手段に規制部を設けた斜視図である。
【図１２】本発明にかかる接続余長収納箱の一例を示す斜視図である。
【図１３】従来の光ファイバの接続余長収納具を示す平面図である。
【図１４】図１３中Ａ−Ａ位置の断面図である。
【符号の説明】
１０　光ファイバの接続余長収納具
１１　光ファイバ
１２　接続部分
１３ａ、１３ｂ　余長部分
１４　第１巻き取り部
１５　第２巻き取り部
１７　第１位置規制手段
１８　第２位置規制手段
１９　第１収納空間
２０、２０ａ　スリット部
２１ａ、２１ｂ　第２巻き取り軸（巻き取り軸）
２２　第３位置規制手段
２３　第２収納空間
２４　溝
２６　規制部材
２８、２８Ａ、２８Ｂ、２８Ｃ　規制部
３０　接続余長収納箱
【図１】
2004126471.tif 000003
【図２】
2004126471.tif 000004
【図３】
2004126471.tif 000005
【図４】
2004126471.tif 000006
【図５】
2004126471.tif 000007
【図６】
2004126471.tif 000008
【図７】
2004126471.tif 000009
【図８】
2004126471.tif 000010
【図９】
2004126471.tif 000011
【図１０】
2004126471.tif 000012
【図１１】
2004126471.tif 000013
【図１２】
2004126471.tif 000014
【図１３】
2004126471.tif 000015
【図１４】
2004126471.tif 000016